(57)【要約】【課題】  ロストル装置の目詰まりやクリンカーの発生の問題を解消して、長時間の使用に耐え得ることが可能な燃焼炉を提供する。【解決手段】  燃焼炉１は、燃焼ケース１ａと、当該燃焼ケース１ａ内に配置されるロストル装置１ｂと、を備えている。そして、ロストル装置１ｂは、固定された状態で同心状に多段に配置されるリング状の複数のロストル板２ａ、２ｂ、２ｃと、複数のロストル板２ａ、２ｂ、２ｃのそれぞれの上面に配置される、回転移動可能な複数の目詰まり防止プレート３ａ、３ｂ、３ｃと、を備えている。また、複数の目詰まり防止プレート３ａ、３ｂ、３ｃには、それぞれ、約９０°の角度間隔で４つの掻き取り部材６ｂが形成されている。【選択図】  図３
2015218974.tif 000002
【特許請求の範囲】
【請求項１】
燃焼ケースと、前記燃焼ケース内に配置されるロストル装置と、を備えた燃焼炉であって、
前記ロストル装置は、固定された状態で同心状に多段に配置されるリング状の複数のロストル板と、前記複数のロストル板のそれぞれの上面に配置される、回転移動可能な複数の目詰まり防止プレートと、を備え、
前記複数の目詰まり防止プレートには、それぞれ、所定の角度間隔で複数の掻き取り部材が形成されていることを特徴とする燃焼炉。
【請求項２】
前記複数のロストル板には、それぞれ、複数の貫通孔が形成されている、請求項１に記載の燃焼炉。
【請求項３】
前記複数のロストル板は、上段にいくにしたがって径が小さくなっている、請求項１又は２記載の燃焼炉。
【請求項４】
上下に隣り合う２つの前記ロストル板は、上側の前記ロストル板の外径と下側の前記ロストル板の内径とが略同一となるように形成されている、請求項３に記載の燃焼炉。
【請求項５】
前記複数の目詰まり防止プレートは、それぞれ、前記掻き取り部材が形成される円板状のプレート本体を備えており、前記プレート本体の径は、最上段の前記ロストル板の内径と略同一となるように設定されている、請求項４に記載の燃焼炉。
【発明の詳細な説明】
【技術分野】
【０００１】
本発明は、木質ペレット等のバイオマス固形燃料を使用する燃焼炉に関し、特に、当該燃焼炉の燃焼ケース内に配置されるロストル装置の構造に関する。
【背景技術】
【０００２】
近年、栽培用ハウスなどの暖房用の温風器等に付設される燃焼炉においては、建築物の木廃材や森林の保全作業において生じる間伐材を加工した木質ペレット等のバイオマス固形燃料を使用するものが注目されている。
バイオマス固形燃料は、灯油や重油に比べて安価ではあるが、燃焼のコントロールに多大の問題点を抱えている。その中でも、燃焼灰がロストル装置の上面に停滞することによる当該ロストル装置の目詰まりやその延長上で発生するクリンカー（ガラス化）が、問題となっている。
【０００３】
そこで、従来、かかるロストル装置の目詰まりやクリンカーの発生の問題を解消するために、ロストル装置上に攪拌部材を設け、当該攪拌部材によって燃焼灰を攪拌するようにした燃焼炉が提案されている（例えば、特許文献１参照）。
【先行技術文献】
【特許文献】
【０００４】
【特許文献１】実用新案登録第３１３６９６２号公報
【発明の概要】
【発明が解決しようとする課題】
【０００５】
しかし、特許文献１に開示された燃焼炉では、攪拌部材がロストル装置上の燃焼灰を攪拌するだけの機能しか有していないため、燃焼灰をロストル装置の上面から完全に落下させることはできない。そのため、燃焼灰の一部がロストル装置の上面に停滞し、それがロストル装置の目詰まりやクリンカーの発生を引き起こしてしまう虞がある。そして、ロストル装置が目詰まりを起こすと、燃焼用空気の通り道が閉ざされ、バイオマス固形燃料の燃焼が不完全燃焼となって、燃焼灰がロストル装置の上面に停滞しやすくなり、ロストル装置の目詰まりやクリンカーの発生の問題が助長されてしまう。このように、特許文献１に開示された燃焼炉は、ロストル装置の目詰まりやクリンカーの発生の問題を完全に解消するには至っておらず、長時間の運転が必要な、栽培用ハウスなどの暖房用の温風器等に付設される燃焼炉としては不向きである。
【０００６】
本発明は、従来技術における前記課題を解決するためになされたものであり、ロストル装置の目詰まりやクリンカーの発生の問題を解消して、長時間の使用に耐え得ることが可能な燃焼炉を提供することを目的とする。
【課題を解決するための手段】
【０００７】
前記目的を達成するため、本発明に係る燃焼炉の構成は、
（１）燃焼ケースと、前記燃焼ケース内に配置されるロストル装置と、を備えた燃焼炉であって、
前記ロストル装置は、固定された状態で同心状に多段に配置されるリング状の複数のロストル板と、前記複数のロストル板のそれぞれの上面に配置される、回転移動可能な複数の目詰まり防止プレートと、を備え、
前記複数の目詰まり防止プレートには、それぞれ、所定の角度間隔で複数の掻き取り部材が形成されていることを特徴とする。
【０００８】
本発明において、ロストル装置は、燃焼ケースと一体に設けられていてもよく、燃焼ケースに着脱可能に設けられていてもよい。
【０００９】
本発明の燃焼炉の上記（１）の構成によれば、上下に隣り合う２つのロストル板間に燃焼用空気の通り道を確保することができるので、燃焼ケース内に供給されたバイオマス固形燃料を効率良く完全に燃焼させることができる。そして、複数の目詰まり防止プレートを回転移動させることにより、バイオマス固形燃料が燃焼して生成された燃焼灰を、上下に隣り合う２つのロストル板の隙間から掻き落とすことができる（ロストル装置の目詰まりの解消）。その結果、上下に隣り合う２つのロストル板間に常に燃焼用空気の通り道が確保された状態を作り出すことができるので、燃焼ケース内に連続的に又は間欠的に供給されるバイオマス固形燃料を効率良く完全に燃焼させることができる。そして、以上の燃焼工程と燃焼灰の掻き落とし工程とが繰り返されることにより、燃焼灰がロストル板の上面に停滞することがなくなるので、クリンカーの発生の問題を解消することができる。従って、本発明の燃焼炉の上記（１）の構成によれば、長時間の使用に耐え得る燃焼炉を実現することができる。さらに、本発明の燃焼炉の上記（１）の構成によれば、上記のようにバイオマス固形燃料を効率良く燃焼させることができるので、燃焼炉の小型化を図ることもできる。
【００１０】
本発明の燃焼炉の上記（１）の構成においては、以下の（２）〜（５）のような構成にすることが好ましい。
【００１１】
（２）前記複数のロストル板には、それぞれ、複数の貫通孔（燃焼灰落下孔）が形成されている。
【００１２】
上記（２）の好ましい構成によれば、バイオマス固形燃料が燃焼して生成された燃焼灰を、当該貫通孔（燃焼灰落下孔）から落下させることもできる。そして、この場合、目詰まり防止プレートを回転移動させて、掻き取り部材を貫通孔（燃焼灰落下孔）の上面を通過させることにより、燃焼灰を、貫通孔（燃焼灰落下孔）から完全に落下させることができるので、ロストル装置の貫通孔（燃焼灰落下孔）の目詰まりの問題を解消することもできる。
【００１３】
（３）前記複数のロストル板は、上段にいくにしたがって径が小さくなっている。
【００１４】
上記（３）の好ましい構成によれば、燃焼ケース内に供給されるバイオマス固形燃料を複数のロストル板上にうまく堆積させることができる。
【００１５】
（４）上記（３）の構成において、上下に隣り合う２つの前記ロストル板は、上側の前記ロストル板の外径と下側の前記ロストル板の内径とが略同一となるように形成されている。
【００１６】
上記（４）の好ましい構成によれば、上下に隣り合う２つのロストル板間から燃焼前のバイオマス固形燃料が落下してしまうことを防止することができる。
【００１７】
（５）上記（４）の構成において、前記複数の目詰まり防止プレートは、それぞれ、前記掻き取り部材が形成される円板状のプレート本体を備えており、前記プレート本体の径は、最上段の前記ロストル板の内径と略同一となるように設定されている。
【００１８】
上記（５）の好ましい構成によれば、最上段のロストル板の内径部分から燃焼前のバイオマス固形燃料が落下してしまうことを防止することができる。
【発明の効果】
【００１９】
本発明によれば、ロストル装置の目詰まりやクリンカーの発生の問題を解消して、長時間の使用に耐え得ることが可能な燃焼炉を提供することができる。
【図面の簡単な説明】
【００２０】
【図１】図１は、本発明の一実施の形態における燃焼炉を備えたバイオマス温風器の構成を示す一部破断側面図である。
【図２】図２は、本発明の一実施の形態における燃焼炉を備えたバイオマス温風器の構成を示す横断面図である。
【図３】図３は、本発明の一実施の形態における燃焼炉の構成を示す一部破断斜視図である。
【図４】図４は、本発明の一実施の形態における燃焼炉の構成を示す縦断面図である。
【発明を実施するための形態】
【００２１】
以下、好適な実施の形態を用いて本発明をさらに具体的に説明する。但し、下記の実施の形態は本発明を具現化した例に過ぎず、本発明はこれに限定されるものではない。
【００２２】
［バイオマス温風器の全体構成］
まず、本発明の一実施の形態における燃焼炉を備えたバイオマス温風器の全体構成について、図１、図２を参照しながら説明する。このバイオマス温風器は、例えば、栽培用ハウスなどの温室の暖房用等として使用される。
【００２３】
図１は、本発明の一実施の形態における燃焼炉を備えたバイオマス温風器の構成を示す一部破断側面図、図２は、当該バイオマス温風器の構成を示す横断面図である。
【００２４】
図１、図２に示すように、バイオマス温風器１００は、略円筒状の中空の炉室５０と、炉室５０内の下部に配置される燃焼炉１と、を備えている。ここで、燃焼炉１は、燃焼ケース１ａと、当該燃焼ケース１ａ内に配置されるロストル装置１ｂと、を備えており、ロストル装置１ｂ上で木質ペレット（バイオマス固形燃料）を燃焼させて、熱を発生させることができるようにされている。炉室５０内には、燃焼炉１で発生した熱によって加熱される複数本の熱交換パイプ６１が垂直状態で設けられており、外気を、当該熱交換パイプ６１に送り込んで温めることができるようにされている。また、炉室５０の下部には、熱交換パイプ６１内で温められた外気（温風）を排出するための温風排出口６２が設けられており、当該温風排出口６２にはビニール製のダクト７３が取り付けられている。バイオマス温風器１００が栽培用ハウスなどの温室の暖房用等として使用される場合、バイオマス温風器１００は温室内に設置され、燃焼ガス排出ダクト６５のみが温室の外に配設される。
【００２５】
図１に示すように、炉室５０の外側には、木質ペレット（径：約６〜８ｍｍ、長さ：約１０〜２０ｍｍ）を収容しておくためのペレットタンク６７が取り付けられており、当該ペレットタンク６７の下端部には、木質ペレットを燃焼炉１の燃焼ケース１ａ内に供給するためのペレット供給機６８が設けられている。図１中、参照符号６９はペレット供給機用電動機を示しており、当該ペレット供給機用電動機６９を起動させることにより、ペレット供給機６８を駆動させて、ペレットタンク６７内の木質ペレットを連続的に又は間欠的に燃焼炉１の燃焼ケース１ａ内に供給することができるようにされている。燃焼ケース１ａ内で木質ペレットが燃焼して生成された燃焼灰は、燃焼ケース１ａの下方に位置する燃焼灰受ケース７０に溜められ、当該燃焼灰受ケース７０に溜まった燃焼灰は、扉１２を開いて、炉室５０の外に掻き出すことができるようにされている。
【００２６】
［燃焼炉の構成］
次に、本発明の一実施の形態における燃焼炉の具体的構成について、図３、図４をも参照しながら説明する。
【００２７】
図３は、本発明の一実施の形態における燃焼炉の構成を示す一部破断斜視図、図４は、当該燃焼炉の構成を示す縦断面図である。
【００２８】
図１〜図４に示すように、燃焼炉１は、上部が円筒状に形成され、下部が中空の逆円錐台状に形成された燃焼ケース１ａと、当該燃焼ケース１ａ内に配置されるロストル装置１ｂと、を備えている。
【００２９】
ロストル装置１ｂは、固定された状態で同心状に多段に配置されるリング状の複数のロストル板２ａ、２ｂ、２ｃと、複数のロストル板２ａ、２ｂ、２ｃのそれぞれの上面に配置される、回転移動可能な複数の目詰まり防止プレート３ａ、３ｂ、３ｃと、を備えている。ここで、複数のロストル板２ａ、２ｂ、２ｃには、それぞれ、径が約５〜６ｍｍの複数の貫通孔（燃焼灰落下孔）８が形成されている。この貫通孔８の径は、使用する木質ペレットの大きさ（径：約６〜８ｍｍ、長さ：約１０〜２０ｍｍ）に応じて決定されたものである。また、貫通孔８は、上部が円筒状に形成され、下部が中空の円錐台状に形成されている（下部が下端面に向かって広がっている）。これにより、燃焼灰が当該貫通孔８を通って落下しやすくなっている。尚、貫通孔８の端面形状は、円形に限定されるものではなく、例えば、長円形、矩形等であってもよい。
【００３０】
ロストル板２ａ、２ｂ、２ｃは、上段にいくにしたがって径が小さくなっている。このため、燃焼炉１の燃焼ケース１ａ内に供給される木質ペレットを複数のロストル板２ａ、２ｂ、２ｃ上にうまく堆積させることができる。
より具体的には、下段のロストル板２ａの内径は、中段のロストル板２ｂの外径と略同一となるように設定されており、中段のロストル板２ｂの内径は、上段のロストル板２ｃの外径と略同一となるように設定されている。すなわち、上下に隣り合う２つのロストル板は、上側のロストル板の外径と下側のロストル板の内径とが略同一となるように形成されている。これにより、上下に隣り合う２つのロストル板間から燃焼前の木質ペレットが落下してしまうことを防止することができる。上段のロストル板２ｃには、外周縁から径方向外方に延びる固定用部材４ａ、４ｂが一体に形成されており、当該固定用部材４ａ、４ｂを燃焼ケース１ａの内周面に固着することにより、上段のロストル板２ｃが燃焼ケース１ａに固定されている。また、中段のロストル板２ｂと下段のロストル板２ａは、それぞれ、連結桿５ａ、５ｂを介して上段のロストル板２ｃの固定用部材４ａ、４ｂに連結されている。すなわち、複数のロストル板２ａ、２ｂ、２ｃは、燃焼ケース１ａ内に固定された状態で配置されている。
【００３１】
目詰まり防止プレート３ａ、３ｂ、３ｃは、それぞれ、円板状のプレート本体６ａを備えている。そして、各プレート本体６ａには、外周縁から径方向外方に延びる掻き取り部材６ｂが約９０°の角度間隔で４つ形成されている。また、各プレート本体６ａは、その中心が垂直な回転軸７に固着されている。すなわち、目詰まり防止プレート３ａ、３ｂ、３ｃは、回転軸７の回転に伴って当該回転軸７と一体に回転移動することができるようにされている。ここで、目詰まり防止プレート３ａ、３ｂ、３ｃの各プレート本体６ａの径は、上段のロストル板２ｃの内径と略同一となるように設定されている。これにより、上段のロストル板２ｃの内径部分から燃焼前の木質ペレットが落下してしまうことを防止することができる。尚、目詰まり防止プレート３ａ、３ｂ、３ｃの各掻き取り部材６ｂは、それぞれ、対応するロストル板２ａ、２ｂ、２ｃの少なくとも外周縁まで延びている。
【００３２】
以上のように、本実施の形態の燃焼炉１は、燃焼ケース１ａと、当該燃焼ケース１ａ内に配置されるロストル装置１ｂと、を備えている。そして、ロストル装置１ｂは、固定された状態で同心状に多段に配置されるリング状の複数のロストル板２ａ、２ｂ、２ｃと、複数のロストル板２ａ、２ｂ、２ｃのそれぞれの上面に配置される、回転移動可能な複数の目詰まり防止プレート３ａ、３ｂ、３ｃと、を備えている。また、複数の目詰まり防止プレート３ａ、３ｂ、３ｃには、それぞれ、約９０°の角度間隔で４つの掻き取り部材６ｂが形成されている。
本実施の形態の燃焼炉１の構成によれば、上下に隣り合う２つのロストル板２ａ、２ｂ間（及び、２つのロストル板２ｂ、２ｃ間）に燃焼用空気の通り道を確保することができるので、燃焼ケース１ａ内に供給された木質ペレットを効率良く完全に燃焼させることができる。そして、複数の目詰まり防止プレート３ａ、３ｂ、３ｃを回転移動させることにより、木質ペレットが燃焼して生成された燃焼灰を、上下に隣り合う２つのロストル板２ａ、２ｂの隙間（及び、２つのロストル板２ｂ、２ｃの隙間）から掻き落とすことができる（ロストル装置１ｂの目詰まりの解消）。その結果、上下に隣り合う２つのロストル板２ａ、２ｂ間（及び、２つのロストル板２ｂ、２ｃ間）に常に燃焼用空気の通り道が確保された状態を作り出すことができるので、燃焼ケース１ａ内に連続的に又は間欠的に供給される木質ペレットを効率良く完全に燃焼させることができる。そして、以上の燃焼工程と燃焼灰の掻き落とし工程とが繰り返されることにより、燃焼灰がロストル板２ａ、２ｂ、２ｃの上面に停滞することがなくなるので、クリンカーの発生の問題を解消することができる。従って、本実施の形態の燃焼炉１の構成によれば、長時間の使用に耐え得る燃焼炉を実現することができる。さらに、本実施の形態の燃焼炉１の構成によれば、上記のように木質ペレットを効率良く燃焼させることができるので、燃焼炉の小型化を図ることもできる。
また、複数のロストル板２ａ、２ｂ、２ｃには、それぞれ、複数の貫通孔（燃焼灰落下孔）８が形成されているので、木質ペレットが燃焼して生成された燃焼灰を、当該貫通孔（燃焼灰落下孔）８から落下させることもできる。そして、この場合、目詰まり防止プレート３ａ、３ｂ、３ｃを回転移動させて、掻き取り部材６ｂを貫通孔（燃焼灰落下孔）８の上面を通過させることにより、燃焼灰を、貫通孔（燃焼灰落下孔）８から完全に落下させることができるので、ロストル装置１ｂの貫通孔（燃焼灰落下孔）８の目詰まりの問題を解消することもできる。
【００３３】
回転軸７の下端部には、水平な突出片７４が固着されており、当該突出片７４には、水平な連結バー９の一端部が回動可能に軸支されている。上向きに配置された駆動用電動機１０の駆動軸１０ａには、水平部材７５の一端部が固定されており、当該水平部材７５の他端部の上面には、連結バー９の他端部が回転可能に軸支されている。そして、駆動用電動機１０を起動させ、水平部材７５を回転させることにより、連結バー９及び回転軸７を介して目詰まり防止プレート３ａ、３ｂ、３ｃを約９０°の角度で正逆方向に交互に回転駆動させることができるようにされている。上記のように、目詰まり防止プレート３ａ、３ｂ、３ｃは、それぞれ、約９０°の角度間隔で形成された４つの掻き取り部材６ｂを備えているので、このように目詰まり防止プレート３ａ、３ｂ、３ｃを約９０°の角度で正逆方向に交互に回転駆動させることにより、複数のロストル板２ａ、２ｂ、２ｃの上面全体を、各掻き取り部材６ｂによってきれいにクリーニングすることができる。この場合、各ロストル板２ａ、２ｂ、２ｃの上面の燃焼灰は、当該ロストル板２ａ、２ｂ、２ｃの上面の隣り合う２つの掻き取り部材６ｂ、６ｂによって周方向に往復移動させられながら、貫通孔（燃焼灰落下孔）８並びに２つのロストル板２ａ、２ｂの隙間（及び、２つのロストル板２ｂ、２ｃの隙間）から完全に掻き落とされる。尚、駆動用電動機１０の起動時間間隔（燃焼灰の掻き落とし時間間隔）は任意に設定可能であり、クリンカー状態になる前に燃焼灰を掻き落として、木質ペレットの燃焼に必要な空気を確保できるようにされている。本実施の形態の燃焼炉１においては、駆動用電動機１０が約３０分ごとに約５秒間だけ起動するように設定されている。
【００３４】
燃焼ケース１ａの上部には着火ヒータ１１が設けられており、当該着火ヒータ１１によってロストル装置１ｂ上の木質ペレットに着火することができるようにされている。尚、図１、図４中、参照符号７２は二次燃焼空気入口を示しており、当該二次燃焼空気入口７２を通して燃焼ケース１ａ内に空気を送り込むことにより、着火後の木質ペレットの燃焼を促進させることができるようにされている。
【００３５】
燃焼ケース１ａは、炉室５０の下端部に設けられた扉１２の内側に固着されている。これにより、扉１２を閉じて、燃焼炉１を炉室５０内の下部に配置し、扉１２を開いて、燃焼炉１のメンテナンス等を行なうことができるようにされている。駆動用電動機１０は、扉１２の外側に取り付けられている。バイオマス温風器１００の運転時において、炉室５０内の温度は７００〜８００℃まで上昇するが、このように駆動用電動機１０を扉１２の外側に取り付けておけば、当該駆動用電動機１０を、バイオマス温風器１００の運転時における高温状態から保護することができる。
【００３６】
［燃焼炉の動作方法］
次に、本実施の形態の燃焼炉の動作方法について説明する。
【００３７】
まず、炉室５０の下端部に設けられた扉１２を閉じて、燃焼炉１を炉室５０内の下部に配置する。次いで、ペレット供給機用電動機６９を起動させることにより、ペレット供給機６８を駆動させて、ペレットタンク６７内の木質ペレットを燃焼炉１の燃焼ケース１ａ内に供給する。木質ペレットの供給は、燃焼炉１内の燃焼の状況に応じて連続的に又は間欠的に行なわれる。次いで、着火ヒータ１１を“ＯＮ”にして木質ペレットに着火する。すると、二次燃焼空気入口７２を通して燃焼ケース１ａ内に空気が送り込まれることにより、木質ペレットが燃焼し始める。ここで、本実施の形態の燃焼炉１においては、燃焼ケース１ａ内の、上下に隣り合う２つのロストル板２ａ、２ｂ間（及び、２つのロストル板２ｂ、２ｃ間）に燃焼用空気の通り道が確保されているので、燃焼ケース１ａ内に供給された木質ペレットを効率良く完全に燃焼させることができる。
【００３８】
次いで、燃焼炉１で発生した熱によって熱交換パイプ６１が加熱され、当該熱交換パイプ６１を通過する外気が温められる。温められた外気（温風）は、温風排出口６２に取り付けられたダクト７３を通して栽培用ハウスなどの温室内に排出され、これにより、温室内が暖められる。
【００３９】
駆動用電動機１０は、約３０分ごとに約５秒間だけ起動する。これにより、約３０分ごとに複数の目詰まり防止プレート３ａ、３ｂ、３ｃが約９０°の角度で正逆方向に交互に回転駆動されて、複数のロストル板２ａ、２ｂ、２ｃの上面全体がきれいにクリーニングされる。この場合、木質ペレットが燃焼して生成された各ロストル板２ａ、２ｂ、２ｃの上面の燃焼灰は、当該ロストル板２ａ、２ｂ、２ｃの上面の隣り合う２つの掻き取り部材６ｂ、６ｂによって周方向に往復移動させられながら、貫通孔（燃焼灰落下孔）８並びに２つのロストル板２ａ、２ｂの隙間（及び、２つのロストル板２ｂ、２ｃの隙間）から完全に掻き落とされる。そして、これにより、上下に隣り合う２つのロストル板２ａ、２ｂ間（及び、２つのロストル板２ｂ、２ｃ間）に常に燃焼用空気の通り道が確保された状態となるので、燃焼ケース１ａ内に連続的に又は間欠的に供給される木質ペレットを効率良く完全に燃焼させることができる。
【００４０】
以上の燃焼工程と燃焼灰の掻き落とし工程とが繰り返される。これにより、燃焼灰がロストル板２ａ、２ｂ、２ｃの上面に停滞することがなくなるので、ロストル装置１ｂの目詰まりやクリンカーの発生の問題が解消され、長時間の使用が可能となる。
【００４１】
燃焼ケース１ａ内で木質ペレットが燃焼して生成された燃焼灰は、燃焼ケース１ａの下方に位置する燃焼灰受ケース７０に溜められ、当該燃焼灰受ケース７０に溜まった燃焼灰は、扉１２を開いて炉室５０の外に掻き出される。
【００４２】
尚、上記実施の形態においては、燃焼炉１が温風器に用いられる場合を例に挙げて説明したが、本発明の燃焼炉は必ずしもかかる用途に限定されるものではない。本発明の燃焼炉は、温風器以外に、例えば、温水器、乾燥機等に用いることもできる。
【００４３】
また、上記実施の形態においては、ロストル装置１ｂが燃焼ケース１ａと一体に設けられている場合を例に挙げて説明したが、本発明は必ずしもこのような構成に限定されるものではない。ロストル装置１ｂは、燃焼ケース１ａに着脱可能に設けられていてもよい。
【００４４】
また、上記実施の形態においては、ロストル装置１ｂが、リング状の３つのロストル板２ａ、２ｂ、２ｃと、３つのロストル板２ａ、２ｂ、２ｃのそれぞれの上面に配置される３つの目詰まり防止プレート３ａ、３ｂ、３ｃと、を備えている場合を例に挙げて説明したが、本発明は必ずしもこのような構成に限定されるものではない。ロストル板及び目詰まり防止プレートの数は２つであっても４つ以上であってもよい。
【００４５】
また、上記実施の形態においては、目詰まり防止プレート３ａ、３ｂ、３ｃに、それぞれ、約９０°の角度間隔で４つの掻き取り部材６ｂが形成され、目詰まり防止プレート３ａ、３ｂ、３ｃが、約９０°の角度で正逆方向に交互に回転駆動される場合を例に挙げて説明したが、本発明は必ずしもこのような構成に限定されるものではない。複数の目詰まり防止プレートに、それぞれ、所定の角度間隔で複数の掻き取り部材が形成され、前記複数の目詰まり防止プレートが、前記所定の角度と略同じ角度で正逆方向に交互に回転駆動される構成であってもよい。この構成であっても、複数の目詰まり防止プレートを所定の角度で正逆方向に交互に回転駆動させることにより、複数のロストル板の上面全体を、各掻き取り部材によってきれいにクリーニングすることができる。また、必ずしも複数の目詰まり防止プレートを所定の角度で正逆方向に交互に回転駆動させる必要はない。複数の目詰まり防止プレートは、任意の角度で回転移動可能であればよい。
【００４６】
また、上記実施の形態においては、バイオマス固形燃料として木質ペレットを使用する場合を例に挙げて説明したが、バイオマス固形燃料としては、例えば、木質チップ等を使用することもできる。
【産業上の利用可能性】
【００４７】
本発明によれば、ロストル装置の目詰まりやクリンカーの発生の問題を解消して、長時間の使用に耐え得ることが可能な燃焼炉を提供することができる。従って、本発明の燃焼炉は、長時間の運転が必要な、栽培用ハウスなどの暖房用の温風器等に付設される燃焼炉として有用である。
【符号の説明】
【００４８】
１  燃焼炉
１ａ  燃焼ケース
１ｂ  ロストル装置
２ａ、２ｂ、２ｃ  ロストル板
３ａ、３ｂ、３ｃ  目詰まり防止プレート
６ｂ  掻き取り部材
８  貫通孔（燃焼灰落下孔）
【図１】
2015218974.tif 000003
【図２】
2015218974.tif 000004
【図３】
2015218974.tif 000005
【図４】
2015218974.tif 000006